(57)【要約】　　　（修正有）【課題】操作性を改善し、電子システム手帳のデータを参照しながらハンズフリーで番号の指定を行なえる無線電話装置の提供にある。【解決手段】筐体１の手帳側とテンキー側の、マイク３７とスピーカ３８に対向する位置に各々穴１１，１３及び１２，１４を開け、これにより片指向性のマイク３７及びスピーカ３８によって、スピーカ３８の音は穴１２を通って手帳側へ伝わり、他方は反射溝２１で反射した音が穴１４を通ってテンキー側へ伝わり、マイク３７の音は、手帳側から穴１１を通って直接マイク３７へ入射し、テンキー側からは穴１３を通り反射溝２０で反射してマイク３７へ入射する。このように、片指向性マイク及びスピーカの本来の指向性を持たせた筐体１の手帳側に反射溝を設けたことにより手帳側とテンキー側の各々に指向性を持たせ、全面開閉部が開いた状態での手帳側と閉じた状態でのテンキー側の両方からの会話が可能となる。【選択図】図４
2004096724.tif 000002
【特許請求の範囲】
【請求項１】
全面開閉部がある電子システム手帳の機能を備えた無線電話装置に於いて、全面開閉部が閉じた状態においてマイク及びスピーカが閉じた面と反対面側に指向性を有し、更に閉じた面及び反対面側の双方にスピーカ穴を有し、全面開閉部が開いた状態においてマイク及びスピーカが開いた面側に指向性を有するようにし、全面開閉側にスピーカ穴及びマイク穴を有した手段を設けて成ることを特徴とする電子システム手帳の機能を備えた無線電話装置。
【請求項２】
全面開閉部が開いた状態において電子システム手帳の機能を使用することが可能になると同時に、マイク及びスピーカによる電話装置の機能による会話ができる制御装置を設けて成ることを特徴とする請求項１記載の電子システム手帳の機能を備えた無線電話装置。
【請求項３】
全面開閉部がある電子システム手帳の機能を備えた無線電話装置に於いて、全面開閉部が開いた状態において、開いた面と同一面にマイク穴及びスピーカ穴を有することを特徴とする電子システム手帳の機能を備えた無線電話装置。
【請求項４】
全面開閉部がある電子システム手帳の機能を備えた無線電話装置に於いて、全面開閉部が閉じた状態においてスピーカが閉じた面と反対面側に指向性を有し、更に閉じた面及び反対面側の双方にスピーカ穴を有し、全面開閉部が開いた状態においてスピーカが開いた面側に指向性を有するようにし、筐体の底部にマイクを有し、筐体底面に底面側からの音を流入するマイク穴を有して成ることを特徴とする電子システム手帳の機能を備えた無線電話装置。
【発明の詳細な説明】
【０００１】
【産業上の利用分野】本発明は、全面開閉部がある電子システム手帳の機能を備え、マイク及びスピーカをそれぞれ開閉部に指向性を与えることにより、開閉どちらの状態でも通話することが可能な無線電話装置に関するものである。
【０００２】
【従来の技術】従来の無線電話装置は、相手先に電話をかける際には電子システム手帳を参照しながら無線電話装置のテンキーで電話番号を設定していた。
【０００３】
【発明が解決しようとする課題】しかし、この従来方式では両手がふさがるので扱いづらく、また、マイク及びスピーカの指向性が片方向で、マイクの感度、スピーカの音量が劣化する傾向があった。
【０００４】本発明の目的は、この従来装置の問題点である操作時の手間を解消し、電子システム手帳に記載されているデータ等を参照しながらハンズフリーで番号の指定を行える無線電話装置を提供することにある。
【０００５】
【課題を解決するための手段】上記目的は、電話機能を使用する時に、全面開閉部が閉じた状態において、マイク及びスピーカが閉じた面と反対面側に指向性を有し、全面開閉部が開いた状態において、マイク及びスピーカが開いた面側に指向性を有するようにした手段を設けたことによって達成される。
【０００６】
【作用】上記手段によると、装置の全面開閉部が開いた状態では、システム手帳機能と電話機能を使用することができ、電話機能を使用して相手先に電話をかけたい場合は、入力装置の手帳キーで相手先の番号参照をすることによりその番号が設定され、無線回線設定が行なわれ、マイク及びスピーカが開いた面に指向性を有しマイクの感度が向上しスピーカの音量も上がることにより、開いたままハンズフリーで相手との会話が可能である。
【０００７】また、全面開閉部が閉じた状態では、電話機能のみが使用され、入力装置のテンキーにより番号設定すれば無線回線の設定が行なわれ、マイク及びスピーカが閉じた面と反対面側に指向性を有しマイク及びスピーカの感度が向上し相手との会話が良好に行なえる。
【０００８】
【実施例】以下図面の実施例により本発明を説明する。図１は、本発明の電子システム手帳機能を備えた無線電話装置の外観図で、（ａ）が開いた状態、（ｂ）が閉じた状態で、開帳した向って右が可動するＡ側、左をＢ側とし、Ａ側にマイクとスピーカを装備する。Ａ側筐体１の開帳面にシステム手帳の手帳キー３が設けられ、他方の片面にテンキー２が設けられる。Ｂ側にはアンテナ４とまたマイク及びスピーカのジャック５が設けられる。開いた状態（ａ）で手帳入力キー３が、閉じた状態でテンキー２が表に出る。
【０００９】図２は、本発明の一実施例のＡ側内部のマイク及びスピーカの筐体の構成図を示し、（ａ）がテンキー側から見た全面開閉部の内部正面図、（ｂ）が側断面図である。筐体１の開帳側正面の左右両端近くに穴１１及び１２を設け、ここにマイク３７とスピーカ３８を装備する。このマイク３７とスピーカ３８を取り付ける部分には、図３に示す瓢形の反射溝２０及び２１が設けてある。図３の（ａ）はテンキー側から見た反射溝２０，２１の正面図、（ｂ）が立体図を示す。マイク３７及びスピーカ３８はテンキー側から手帳側へ向う片指向性を有するものが使用されるが、図（ｃ）に示すようにスピーカ３８固定部に反射溝２１を設けてあることによってスピーカ３８から出た音は穴１２を通って手帳側に伝わると同時に、１部の音は矢印のように反射してテンキー側へも伝わりテンキー側でも聞くことができる。また、図（ｄ）に示すように、マイク３７への音は、手帳側から穴１１を通って入射するが、反射溝２０が設けてあることによって、テンキー側から発生した音声は矢印のように反射溝２０を反射してマイク３７に入射する。したがってマイク及びスピーカに片指向性のものを使用しても手帳側とテンキー側の両方から会話することが可能となる。
【００１０】図４は、本発明の一実施例のＡ側の側断面図で、筐体１の手帳側とテンキー側の、マイク３７とスピーカ３８に対向する位置に各々穴１１，１３及び穴１２，１４を開け、これにより片指向性のマイク３７及びスピーカ３８によって、図のようにスピーカ３８の音は穴１２を通って手帳の内側へ伝わり、他方は反射溝２１で反射した音が穴１４を通ってテンキー側に伝わり、マイク３７への音は、手帳側から穴１１を通って直接マイク３７へ入射し、テンキー側からは穴１３を通り反射溝２０で反射してマイク３７へ入射する。このように筐体１の手帳側とテンキー側の両面に穴１１，１２及び１３，１４を開けることでマイク３７とスピーカ３８に手帳側とテンキー側のそれぞれに指向性を持たせ、手帳側とテンキー側からの会話を可能とすることができる。
【００１１】また、電話機能の使用時において、図１（ｂ）のように全面開閉部が閉じた状態では、Ａ側の手帳側に設けた穴１１，１２はＢ側に重なって閉じており、スピーカ３８の音は反射溝２１の反射音が強くなってテンキー側へ伝わり、またマイク３７への音はテンキー側から穴１３を通り反射溝２０を反射してマイク３７に入射する音が強くなり、テンキー側からの会話が良好になる。また図１（ａ）のように全面開閉部が開いた状態では、スピーカ３８の音は穴１１を通って手帳側に直進する音が強く、反射してテンキー側に伝わる音は筐体１に開けた穴１４の大きさを小さくして反射音を弱くしてあるから、全面開閉部が閉じているときのマイク及びスピーカの指向性と開閉部が開いているときのマイク及びスピーカの指向性を変えると同時にマイクの感度を向上し且つスピーカの音量を上げて、いずれの方向からも電話機能を使用した会話が良好に行なえる。
【００１２】なお、片指向性のマイク３７及びスピーカ３８の指向性はテンキー側に向けて設置してもよく、この場合は筐体１のテンキー側に反射溝２０，２１を設けることによって手帳側への指向性をもたせることができる。また、反射溝２０，２１は図３の形状のものに限らず用いることができる。
【００１３】図５は、本発明の他の実施例で、Ａ側筐体の底面に穴１５を開け、ここにマイク３７を設置する。マイク３７は底面に指向性をもっていて、マイク３７への音の入射は底面側から穴１５を通して流入した音が入射する。スピーカ３８の音の手帳側への流れ及びテンキー側への音の流れは前記図４の場合と同様である。この実施例では手帳側とテンキー側及び底部に穴１２，１４及び１５を開けることによって、開帳した手帳側と閉じたときのテンキー側からの会話が可能となる。
【００１４】図６は、また本発明の他の実施例断面図で、Ａ側に設けるマイク３７及びスピーカ３８に双指向性のマイク及びスピーカを設置する。筐体１の手帳側に開けた穴１１，１２と同様の穴１６，１７をテンキー側にも開け、双指向性スピーカ３８からの音は穴１２を通して開帳した手帳側に及び穴１７を通してテンキー側に直接流れ、双指向性マイク３７には手帳側から穴１１を通して音が入射しテンキー側から穴１６を通して音が入射し、手帳側とテンキー側双方からの会話が可能である。
【００１５】図７は、本発明実施例の電子システム手帳型無線電話装置の回路構成ブロック図である。回路構成は、入出力データの制御を行なう制御部３１と、この制御部３１にデータの入力を行なう入力装置３２と、制御部３１から出力してきたデータを表示する表示装置３３とでシステム手帳機能部が構成され、入出力データをそれぞれＤ／Ａ、Ａ／Ｄ変換するＤ／Ａ、Ａ／Ｄ変換器３４と、入出力データの時分割制御を行なうＴＤＭＡ−ＴＤＤコントローラ３５と、データの変復調を行なってアンテナ４に送受信する変復調器３６と、マイク３７及びスピーカ３８とから構成される電話機能部が設けられる。
【００１６】以下この装置による無線回線設定法のフローチャートを図８に示す。図８において電源ＯＮ（Ｓ１）により装置が作動すると、図７における制御部３１が作動し、電話のみ及びシステム手帳機能の選択モード（Ｓ２）の処理を行う。そこで、今装置を開いた状態でシステム手帳機能を選択した場合は、制御部３１はデータの入力及び出力の選択モード処理を行う（Ｓ３）。入力を選択した場合は通常のシステム手帳処理となり、入力待機状態となる（Ｓ４）。入力装置３２のシステム手帳キー３により入力処理（Ｓ５）、及び表示装置３３により表示処理（Ｓ６）を行う。出力を選択した場合は、制御部３１は記憶しているデータの内容（氏名、会社名等）を表示装置３３に表示する（Ｓ７）。電話をかけたい相手先でないか、又は通常のシステム手帳として使用する場合は入力装置３２のキー入力によりデータの送り処理を行い、次のデータ出力処理をする（Ｓ８、Ｓ９）。他方電話をかけたい相手先であれば入力装置３２のキー入力により、制御部３１はデータの内容から相手先の番号を参照処理する（Ｓ８、Ｓ１０）。データ内容が一致すればその番号を設定する（Ｓ１１）。入力装置３２のキー入力により相手先を確定したら（Ｓ１４）、その番号に対する信号をＴＤＭＡ−ＴＤＤコントローラ３５に入力する。ＴＤＭＡ−ＴＤＤコントローラ３５は信号の時分割制御を行い、変復調器３６に入力する。変復調器３６は入力してきた信号を変調、送信し、無線回線設定処理を行う（Ｓ１５）。また、ステップＳ２において電話のみの機能を選択した場合は装置を閉じた状態での使用が可能となり、入力装置３２のテンキー２による番号設定処理を行い（Ｓ１２）、制御部３１は設定された番号を表示装置３３に表示する（Ｓ１３）。後はシステム手帳機能と同様に確定処理を行い（Ｓ１４）、無線回線を設定する（Ｓ１５）。回線の設定後はマイク３７及びスピーカ３８により、相手との会話が可能になる。
【００１７】
【発明の効果】以上、本発明によれば、電子システム手帳と一体化した無線電話装置により、従来方式の手帳参照による操作の手間を省くことができるばかりか、ハンズフリーによる自然な会話が可能であり、その効果は著しい。
【図面の簡単な説明】
【図１】本発明装置の実施例外観図である。
【図２】本発明の一実施例のマイク及びスピーカの筐体内部構造図である。
【図３】図２の一部詳細構造図である。
【図４】本発明装置の一実施例の断面構成図である。
【図５】本発明装置の他の実施例の断面構成図である。
【図６】本発明装置の他の実施例の断面構成図である。
【図７】本発明装置の一実施例回路構成ブロック図である。
【図８】本発明装置の無線回線設定フローチャートである。
【符号の説明】
１…筐体、２…テンキー、３…手帳キー、４…アンテナ、５…マイク・スピーカのジャック、１１，１２，１３，１４…穴、２０，２１…反射溝、３７…マイク、３８…スピーカ。
【図１】
2004096724.tif 000003
【図２】
2004096724.tif 000004
【図３】
2004096724.tif 000005
【図４】
2004096724.tif 000006
【図５】
2004096724.tif 000007
【図６】
2004096724.tif 000008
【図７】
2004096724.tif 000009
【図８】
2004096724.tif 000010